(57)【要約】【課題】      ペットボトル等を利用した水耕栽培用苗床で水又は培養液を安定的に供給するための管状補助具を提供する。【解決手段】  上槽が栽培槽、下槽が培養液槽よりなり栽培槽底部に開口を有する植物栽培器の該栽培槽底部開口に着脱自在に装着され、毛管現象により水又は培養液を栽培槽に供給するための管状具であって、前記管状具は、下端に液透過可能な砂止め用網状体からなる底部を有し、且つ管内部には微粒子状担体が充填され、上端は前記栽培槽底部開口に着脱自在に接続されると共に下端が培養液槽に貯留する液中にまで延びる長さを有することを特徴とする管状具。【選択図】図１
0003118811.tif 000002
【実用新案登録請求の範囲】
【請求項１】
上槽が栽培槽、下槽が培養液槽よりなり栽培槽底部に開口を有する植物栽培器の該栽培槽底部開口に着脱自在に装着され、毛管現象により水又は培養液を栽培槽に供給するための管状具であって、
前記管状具は、下端に液透過可能な砂止め用網状体からなる底部を有し、且つ管内部には微粒子状担体が充填され、上端は前記栽培槽底部開口に着脱自在に接続されると共に下端が培養液槽に貯留する液中にまで延びる長さを有することを特徴とする管状具。
【請求項２】
前記管状具の少なくとも底部が網戸用の網からからなり、前記微粒子状担体が平均粒径１／１６〜２ｍｍの培養土、砂、礫、ガラスビーズ、石英ビーズから選ばれた少なくとも一種からなることを特徴とする請求項１記載の管状具。
【考案の詳細な説明】
【技術分野】
【０００１】  この考案は植物の水耕栽培器に装着する培養液供給用管状具に関し、より詳細には、栽培槽、培養液槽上下２槽よりなる水耕法植物栽培器に装着し、育成植物が成長して充分に根を延ばすまでの間、該植物への水、培養液の連続供給を毛管現象により安定して行うための管状具に関する。
【背景技術】
【０００２】  従来、水耕法等で植物を栽培する栽培器では、植物へ水や培養液を安定して供給するために種々の装置、器具等が用いられ、又は、提案されてきた。
例えば、特許文献１には、ネジ式注ぎ口のペットボトルとトレーの組合せにより、着脱形の鶏水飲み器と同様の機構に構成された植木鉢用給水栽培器が開示されている。【０００３】  水耕法は屋内で実施されることが多く、この場合、一定の棚面積にできるだけ多く育成するため栽培植物株当たりの専有面積が比較的少なくてすむ上槽が栽培槽、下槽が培養液槽よりなる植物栽培器が広く用いられる。
そして、この種栽培器で種子や幼苗を育成する場合、初期には、培養土等を収容した栽培槽内に種子や幼苗を植え付け、この栽培床に水や培養液を下部の培養液槽等から例えば毛管現象等を利用して連続的に吸上げ供給して育成し、栽培植物の根が充分に成長して培養液槽に届く様な状態になった時点で、植替等により例えば培養液槽や別の水耕槽に移すことが一般的に行われている。
この毛管現象を利用した水、培養液の吸上げ供給には、従来多く不織布等が用いられていた。【０００４】      特許文献１              特開平１１−０６９９１９号公報
【考案の開示】
【考案が解決しようとする課題】
【０００５】  しかし、前記不織布を用いた場合は、育成植物の根が培養液槽に届く前に不織布が繊維分離や腐敗を起こして切れてしまい培養液槽から栽培槽に液が供給されなくなり栽培植物の枯死を招く場合が屡々生じた。【０００６】  又、特許文献１の装置では瓶やペットボトルの頸部を設置できる頸部受部、水路部、貯水部からなる一体型プラスチック製構造体を製作し、且つ、植木鉢の水面を調節するための水深調節用プレート或いはマットを調節すべき水面高さに応じて多数用意しなければならならず、費用的に高価となるだけでなく頸部受部、水路部形成のために栽培、培養液上下２槽よりなる栽培器に比べてより広い面積を必要とする。【０００７】  この考案は、コンパクトな上下２槽式栽培器に装着することにより長期間使用しても水や培養液の供給が途絶えたりすることが無く、常に適正量を供給できる培養液供給用管状具を提供することを目的とする。
【課題を解決するための手段】
【０００８】  本考案によれば、上槽が栽培槽、下槽が培養液槽よりなり栽培槽底部に開口を有する植物栽培器の該栽培槽底部開口に着脱自在に装着され、毛管現象により水又は培養液を栽培槽に供給するための管状具であって、前記管状具は、下端に液透過可能な砂止め用網状体からなる底部を有し、且つ管内部には微粒子状担体が充填され、上端は前記栽培槽底部開口に着脱自在に接続されると共に下端が培養液槽に貯留する液中にまで延びる長さを有することを特徴とする管状具が提供される。
即ち、本考案の培養液供給用管状具は、上下２槽式の水耕栽培器の栽培槽（上槽）底部開口に着脱自在に取付けられ、管下端を網で塞ぎ（砂止）、管内部に砂等の微粒子状担体を充填したもので、装着時に、その下端部が培養液面内部に浸る長さを有する。【０００９】  又、本考案では、管状具の少なくとも底部が網戸用の網からからなり、前記微粒子状担体が平均粒径１／１６〜２ｍｍの培養土、砂、礫、ガラスビーズ、石英ビーズから選ばれた少なくとも一種からなることが特に好ましい。
【考案の効果】
【００１０】  上記構成により本考案の管状具は、栽培される植物の根が充分成長し培養液槽に届き充分の養分吸収ができるようになるまで長期間水耕栽培に於ける毛細管現象を安定して持続させることができる。
根が成長して培養液槽に充分届くようになったら補助管を取り除き呼吸することができるようにすればよい。
このことから培養液の安定供給と根の成長の促進を図ることができ栽培植物の生産性向上と見栄えの良い商品を生産できる。
【考案を実施するための最良の形態】
【００１１】  以下に本考案を図面を参照して具体的に説明する。
図１は、本考案に係る水耕栽培毛管現象培養液供給用管状具を、栽培槽、培養液槽上下２槽よりなる水耕法植物栽培器の栽培槽底部開口に装着した状態を示す断面図である。
図２は本考案に係る水耕栽培毛管現象培養液供給用管状具の断面図である。【００１２】  図１に於いて、本考案の管状具３０が装着される栽培器は、培養土４０を収容し、その底部に開口１５を有する栽培槽１０と、該栽培槽１０の下部に接続し培養液５０を貯留する培養液槽２０の上下２槽からなる。
そして、管状具３０（図１）は、図２に示される構造を有し、下端部が網状物（砂止）２で塞がれ、管内部には培養土、砂、礫、ガラスビーズ、石英ビーズ等からなる微粒子状担体３が充填され、上端部は使用時には栽培槽１０の底部開口１５に脱離可能に装着される。【００１３】  前記微粒子状担体３の平均粒径１／１６〜２ｍｍは毛管現象が充分有効に機能する観点から平均粒径１／１６〜２ｍｍ程度のものを用いることが好ましい。
又、管状具本体１（図２）の材質は該管状具が着脱が容易で内部には砂等が詰め込まれていることから解るように管状の透明なプラスチックか、又は砂が漏れない網戸の網のような材質が望ましい。【００１４】  又、管状具の下端に付ける砂止の網は、網戸の網のような材質が望ましい。
更に、管状具１の長さは、装着時にその下端部２が培養液槽２０の底部から数ミリの間隔を有する長さに設定されることが望ましい。【００１５】  このように本考案の管状具を装着した水耕栽培器は、栽培植物の根が成長し培養液槽に充分届き、そこから養分吸収ができるようになるまで前記管状具を装着し続け、根が成長して直接培養液槽から養分を吸収できるようになったら該管状具を除去して呼吸が充分できるようにする。
【図面の簡単な説明】
【００１６】
【図１】    本考案に係る管状具を水耕栽培の栽培器に取付た状態を示す断面略図である。
【図２】    本考案に係る管状具の断面略図である。
【記号の説明】
【００１７】  １、３０    管状具
２          砂止
３          砂
１０        栽培器
２０        培養液層
４０        培養土
５０        培養液
【図１】
0003118811.tif 000003
【図２】
0003118811.tif 000004